(57)【特許請求の範囲】
【請求項１】
記録すべき波形信号をサンプリングしてディジタル変換するＡ／Ｄ変換器と、このＡ／Ｄ変換器出力が入力されるトリガ検出器と、このトリガ検出器出力を受けＣＰＵより設定されるモードにより前記Ａ／Ｄ変換器出力をメモリに書き込むメモリコントローラと、このメモリコントローラを介して前記メモリ内容を表示器に出力する表示コントローラとを具備する波形記録装置において、
オペレータにより入力されるイベントデータを前記サンプリングに同期して取り込むラッチ手段を設け、前記メモリコントローラはこのラッチ手段の内容を前記Ａ／Ｄ変換器出力と共に前記メモリに書き込み、
イベント位置でのデータ検索時、前記メモリコントローラは前記メモリより前記トリガ検出器にデータを送り、トリガ検出器はイベントデータをトリガソースとしてイベント発生時のメモリアドレスを検出して前記ＣＰＵに送り、ＣＰＵはこのアドレスによりイベント前後のデータを前記メモリコントローラを介して前記メモリより読み出し、前記表示コントローラを介して前記表示器に出力することを特徴とする波形記録装置。
【請求項２】
オペレータにより入力されるイベントデータが１ビット情報であることを特徴とする請求項１記載の波形記録装置。
【請求項３】
オペレータにより入力されるイベントデータが１ビット情報とそのイベント発生源を示すイベント種類情報であることを特徴とする請求項１記載の波形記録装置。
【請求項４】
前記イベントデータに代えて、時間データが入力されることを特徴とする請求項１記載の波形記録装置。
【請求項５】
前記イベントデータに代えて、別ファイル参照データが入力されることを特徴とする請求項１記載の波形記録装置。
【請求項６】
前記別ファイルに音声データが格納されていることを特徴とする請求項５記載の波形記録装置。
【請求項７】
前記イベントデータとして前記トリガ検出回路の検出結果が入力されることを特徴とする請求項１記載の波形記録装置。
【発明の詳細な説明】
【０００１】
【発明の属する技術分野】
本発明は、波形記録装置のメモリに取り込む波形情報に、付加的な情報（イベント情報、時刻、アラーム情報、トリガ情報、マーカー、音声イベント等）を同時に取り込むことにより、波形の再現性、記録結果の検索性を向上した記録装置に関する。
【０００２】
【従来の技術】
チャート式記録装置は、近年ペーパーレス化の方向に進んでおり、波形を紙に記録するのではなく、Ａ／Ｄ変換器でサンプリングしたデータを、半導体メモリや、メモリ媒体に記録し、そのデータを表示器で波形表示する形態の製品が多くなりつつある。
【０００３】
従来のチャート式記録装置では、何か実験中にイベント（実験対象の異常発生や、実験パラメータの変更）が起きた場合、実験者はチャート紙上に瞬時にメモを書き残すことができ、実験終了時に、そのイベント時の波形データをメモから検索することが容易であった。
【０００４】
【発明が解決しようとする課題】
しかしながら、ペーパーレス型の記録装置では、データをメモリに取り込んでいるため、実験者がメモを残すことが困難になった。またこのため、メモを基準にデータの検索をすることが困難になった。
【０００５】
本発明の目的は、イベント情報をメモリに同時に書き込み、そのイベント情報をデータ再生時のトリガ情報として利用可能な記録装置の実現にある。
【０００６】
【課題を解決するための手段】
このような課題を達成するために、本発明のうち請求項１記載の発明は、記録すべき波形信号をサンプリングしてディジタル変換するＡ／Ｄ変換器と、このＡ／Ｄ変換器出力が入力されるトリガ検出器と、このトリガ検出器出力を受けＣＰＵより設定されるモードにより前記Ａ／Ｄ変換器出力をメモリに書き込むメモリコントローラと、このメモリコントローラを介して前記メモリ内容を表示器に出力する表示コントローラとを具備する波形記録装置において、オペレータにより入力されるイベントデータを前記サンプリングに同期して取り込むラッチ手段を設け、前記メモリコントローラはこのラッチ手段の内容を前記Ａ／Ｄ変換器出力と共に前記メモリに書き込み、イベント位置でのデータ検索時、前記メモリコントローラは前記メモリより前記トリガ検出器にデータを送り、トリガ検出器はイベントデータをトリガソースとしてイベント発生時のメモリアドレスを検出して前記ＣＰＵに送り、ＣＰＵはこのアドレスによりイベント前後のデータを前記メモリコントローラを介して前記メモリより読み出し、前記表示コントローラを介して前記表示器に出力することを特徴とする。
【０００７】
請求項２記載発明は、請求項１記載の波形記録装置において、オペレータにより入力されるイベントデータが１ビット情報であることを特徴とする。
【０００８】
請求項３記載発明は、請求項１記載の波形記録装置において、オペレータにより入力されるイベントデータが１ビット情報とそのイベント発生源を示すイベント種類情報であることを特徴とする。
【０００９】
請求項４記載発明は、請求項１記載の波形記録装置において、前記イベントデータに代えて、時間データが入力されることを特徴とする。
【００１０】
請求項５記載発明は、請求項１記載の波形記録装置において、前記イベントデータに代えて、別ファイル参照データが入力されることを特徴とする。
【００１１】
請求項６記載発明は、請求項５記載の波形記録装置において、前記別ファイルに音声データが格納されていることを特徴とする。
【００１２】
請求項７記載発明は、請求項１記載の波形記録装置において、前記イベントデータとして前記トリガ検出回路の検出結果が入力されることを特徴とする。
【００１４】
【発明の実施の形態】
以下本発明実施態様を、図面を用いて説明する。図１は本発明を適用した２チャンネル波形記録装置の一実施例を示すブロック線図である。入力端子１、２に与えられた入力データｅ１、ｅ２はバッファアンプ３，４で正規化され、Ａ／Ｄ変換器５、６でディジタルデータｄ１、ｄ２に変換される。ｐは、これらＡ／Ｄ変換器５、６のサンプリングタイミング信号である。
【００１５】
ディジタルデータｄ１、ｄ２は、トリガ検出器７に送られ、データ取り込み時のトリガ検出が行われる。トリガ検出の結果ＴＲはメモリコントローラ８及びＣＰＵ９に送られる。メモリコントローラ８はトリガ検出の結果ＴＲを受けて、ディジタルデータｄ１、ｄ２をメモリ１０に書き込む。
【００１６】
このとき、メモリコントローラ８は、ＣＰＵ９からの指令Ｓによる設定モードに従い、プリトリガ、ポストトリガをコントロールして、ディジタルデータｄ１、ｄ２のメモリ１０取り込みを実行する。
【００１７】
１１は表示コントローラであり、ＣＰＵ９の指令Ｓにより、メモリコントローラ８を介してメモリ１０に取り込まれたディジタルデータｄ１、ｄ２を表示器１２により適当な形態で波形表示する。
【００１８】
以上が一般的な波形記録装置構成である。本発明の特徴は、オペレータが入力するイベントデータの取り込み構成にある。１３はイベントデータＥｄが与えられる入力端子である。イベントデータＥｄは測定者が手動操作で入力するものであり、もっとも単純な形態としては、１ビット情報（“１”又は“０”）である。
【００１９】
１ビット情報は、何らかのイベントが発生したときに、測定者が“１”に相当する情報を、たとえばキーボードを介して入力する。入力されたイベントデータＥｄは、ラッチ回路１４に導かれる。
【００２０】
このラッチ回路は、Ａ／Ｄ変換器５、６のサンプリングタイミング信号ｐと同期したサンプリングタイミング信号ｐでイベントデータＥｄをラッチする。ラッチ信号Ｅｄ´は、前記のメモリコントローラ８に送られ、ディジタルデータｄ１、ｄ２と共にメモリ１０に蓄えられる。
【００２１】
図２は、このようにメモリ１０に取り込まれたディジタルデータｄ１、ｄ２及びイベントデータＥｄのマッピング状態を示すものであり、３者は、同期したサンプリングタイミング信号に対応してそのデータ内容が時系列的に記憶されている。
【００２２】
このようなイベントデータの取り込み構成において、イベント位置でのデータ検索を行う場合の手順を説明する。ＣＰＵ９の指令Ｓにより、メモリコントローラ８はメモリ１０より指定されたチャンネルのディジタルデータ並びにイベントデータを読み出し、トリガ検出器８にデータＭとして送る。
【００２３】
トリガ検出器８では、データＭのイベントデータをトリガソースとし、イベントが起こった時のメモリアドレス（データ番号）を検出し、ＣＰＵ９にアドレスＡＤＲを報告する。
【００２４】
ＣＰＵ９では、検索結果のアドレスを用いて、イベント前後のデータを、メモリコントローラ８を介してメモリ１０より読み出し、表示コントローラ１１を用いて表示器１２に表示させる。
【００２５】
上記の説明では、イベントデータが１ビット情報としたが、種種の形態が可能である。図３に示すイベントデータは、１ビットのイベントビットと、それに続く複数ビットのイベント種類情報で構成される。
【００２６】
イベント種類情報は、そのイベント発生源が何かを示す情報となる。このように構成すると、あらかじめ、イベント情報源に対するイベント番号を設定しておけば、そのイベント番号情報を検索することにより、所望のイベント発生時近傍のデータを検索、表示することができる。
【００２７】
イベント情報に代えて、時間コードを時間データとして取り込むことも可能である。即ち、時間に関するコードを書き込むことにより、時間をキーとした波形データの検索が可能である。
【００２８】
イベント情報に代えて、別のファイルを参照とするアドレスデータを書き込んでもよい。例えば、イベントとして波形データと共に書き込んだ音声データのファイル格納場所を示すアドレスデータとすることが可能である。
【００２９】
イベント情報として、トリガ検出回路でのトリガ検出結果を書き込むことができる。
【００３０】
【発明の効果】
以上説明したことから明らかなように、本発明によれば、波形データと同期してイベント情報をメモリに取り込むように構成し、そのイベント情報をデータ再生時にトリガ回路に戻すことにより、イベント発生時の波形データの検索が容易に実行可能な波形記録装置を実現することができる。
【図面の簡単な説明】
【図１】本発明を適用した波形記録装置の一実施例を示すブロック線図である。
【図２】本発明装置におけるメモリのマッピング説明図である。
【図３】本発明装置におけるイベントデータの他の実施例を示すビット構成図である。
【符号の説明】
１、２  波形データ入力端子
３、４  バッファアンプ
５、６  Ａ／Ｄ変換器
７      トリガ検出器
８      メモリコントローラ
９      ＣＰＵ
１０    メモリ
１１    表示コントローラ
１２    表示器
１３    イベントデータ入力端子
１４    ラッチ回路
【図１】
0004062480.tif 000002
【図２】
0004062480.tif 000003
【図３】
0004062480.tif 000004